(57)【要約】【課題】  摺動抵抗が小さく、又、寸法のバラツキが生じても摺動抵抗が増加しないシートスライド装置を提供することを課題とする。【解決手段】  第１支持部２１５とボール１４１との接点Ｔ１での法線Ｈ１と鉛直線Ｓとのなす角θ１が、第４支持部３２３とボール１４１との接点Ｔ４での法線Ｈ４と鉛直線Ｓとのなす角θ４より小さく設定され、第５支持部２２１とボール１４３との接点Ｔ５での法線Ｈ５と鉛直線Ｓとのなす角θ５が、第８支持部３２９とボール１４３との接点Ｔ８での法線Ｈ８と鉛直線Ｓとのなす角θ８より小さく設定されている。【選択図】          図１
2005088604.tif 000002
【特許請求の範囲】
【請求項１】
フロア側に設けられるロアレールと、シート側に設けられ、前記ロアレールに移動可能に係合したアッパレールとを備えたシートスライド装置において、
前記アッパレールの断面形状は、フロアと交差する方向に延びる第１側壁部と、第２側壁部とを有し、
前記ロアレールの断面形状は、前記アッパレールの第１側壁部、第２側壁部と略平行な第３側壁部と第４側壁部とを有し、
前記アッパレールの第１側壁部に、上から第１支持部、第２支持部からなり、前記ロアレールの第３側壁部との間隔が広がるような略く字形の第１ガイド部を設け、
前記ロアレールの第３側壁部に、前記第１ガイド部の第１支持部と略平行な第３支持部、前記第１ガイド部の第２支持部と略平行な第４支持部からなリ、前記アッパレールの第１側壁部との間隔が広がるような略く字形の第２ガイド部を設け、
前記アッパレールの第２側壁部に、上から第５支持部、第６支持部からなり、前記ロアレールの第４側壁部との間隔が広がるような略く字形の第３ガイド部を設け、
前記ロアレールの第４側壁部に、前記第３ガイド部の第５支持部と略平行な第７支持部、前記第３ガイド部の第６支持部と略平行な第８支持部からなリ、前記アッパレールの第２側壁部との間隔が広がるような略く字形の第４ガイド部を設け、
前記第１ガイド部と、前記第２ガイド部との空間に、前記第１〜第４支持部が当接可能なボールを設け、
前記第３ガイド部と、前記第４ガイド部との空間に、前記第５〜第８支持部が当接可能なボールを設け、
前記第１支持部と前記ボールとの接点での法線と鉛直線とのなす角が、前記第４支持部と前記ボールとの接点での法線と鉛直線とのなす角より小さく設定され、
前記第５支持部と前記ボールとの接点での法線と鉛直線とのなす角が、前記第８支持部と前記ボールとの接点での法線と鉛直線とのなす角より小さく設定されていることを特徴とするシートスライド装置。
【請求項２】
前記アッパレールは、前記ロアレールと係合する前の自然状態では、第１側壁部と第２側壁部とが前記フロア方向に行くほど、両者の間隔が広がる「ハ」字状態となるように設定されていることを特徴とする請求項１記載のシートスライド装置。
【請求項３】
前記ロアレールは、前記アッパレールと係合する前の自然状態では、第３側壁部と第４側壁部とが、前記フロア方向に行くほど、両者の間隔が広がる「ハ」字状態となるように設定されていることを特徴とする請求項１記載のシートスライド装置。
【発明の詳細な説明】
【技術分野】
【０００１】
本発明は、フロア側に設けられるロアレールと、シート側に設けられ、前記ロアレールに移動可能に係合したアッパレールとを備えたシートスライド装置に関する。
【背景技術】
【０００２】
従来のシートスライド装置の断面を示す図３を用いて説明する。図において、１がフロアＦ側に設けられるロアレール、３がシート側に設けられ、ロアレール１に移動可能に係合するアッパレールである。アッパレール３の断面形状は、フロアＦと略平行な基底部５と、基底部５の一方の側から折曲し、フロアＦと交差する方向に延びる第１側壁部７と、基底部５の他方の側から折曲し、フロアＦと交差する方向に延びる第２側壁部９とを有している。ロアレール１の断面形状は、フロアＦと略平行な基底部１１と、基底部１１の一方の側から折曲し、アッパレール３の第１側壁部７と対向する第３側壁部１３と、基底部１１の他方の側から折曲し、アッパレール３の第２側壁部９と対向する第４側壁部１５とを有している。
【０００３】
アッパレール３の第１側壁部７には、上から第１支持部１７、第２支持部１９からなり、ロアレール１の第３側壁部１３との間隔が広がるような略く字形の第１ガイド部２１が設けられている。一方、ロアレール１の第３側壁部１３には、第１ガイド部２１の第１支持部と１７略平行な第３支持部２３、第１ガイド部２１の第２支持部１９と略平行な第４支持部からなリ、アッパレール３の第１側壁部７との間隔が広がるような略く字形の第２ガイド部２７が形成されている。
【０００４】
アッパレール３の第２側壁部９には、上から第５支持部２９、第６支持部３１からなり、ロアレール１の第４側壁部１５との間隔が広がるような略く字形の第３ガイド部３３が設けられている。一方、ロアレール１の第４側壁部１５には、第３ガイド部３３の第５支持部２９と略平行な第７支持部３５、第３ガイド部３３の第６支持部３１と略平行な第８支持部３７からなリ、アッパレール３の第２側壁部９との間隔が広がるような略く字形の第４ガイド部３９が設けられている。
【０００５】
第１ガイド部２１と、第２ガイド部２７との空間に、第１支持部１７、第２支持部１９、第３支持部２３、第４支持部２５が当接可能なボール４１が設けられている。又、第３ガイド部３３と、第４ガイド部３９との空間に、第５支持部２９、第６支持部３１、第７支持部３５、第８支持部３７が当接可能なボール４３が設けられ、これらボール４１、ボール４３が転動することにより、アッパレール３はロアレール１に対してスムーズに移動するようになっている（例えば、特許文献１参照。）。
【特許文献１】特開平７−２２３４７１号公報（図５）
【発明の開示】
【発明が解決しようとする課題】
【０００６】
図３に示す構成のシートスライド装置では、第１ガイド部２１の第１支持部１７とボール４１との接点Ｔ１での法線Ｈ１と、鉛直線Ｓとのなす角をθ１、第１ガイド部２１の第２支持部１９とボール４１との接点Ｔ２での法線Ｈ２と、鉛直線Ｓとのなす角をθ２、第２ガイド部２７の第３支持部２３とボール４１との接点Ｔ３での法線Ｈ３と、鉛直線Ｓとのなす角をθ３、第２ガイド部２７の第４支持部２５とボール４１との接点Ｔ４での法線Ｈ４と、鉛直線Ｓとのなす角をθ４、第３ガイド部３３の第５支持部２９とボール４３との接点Ｔ５での法線Ｈ５と、鉛直線Ｓとのなす角をθ５、３ガイド部３３の第６支持部３１とボール４３との接点Ｔ６での法線Ｈ６と、鉛直線Ｓとのなす角をθ６、第４ガイド部３９の第７支持部３５とボール４３との接点Ｔ７での法線Ｈ７と、鉛直線Ｓとのなす角をθ７、第４ガイド部３９の第８支持部３７とボール４３との接点Ｔ８での法線Ｈ８と、鉛直線Ｓとのなす角をθ８とした場合、θ１≒θ２≒θ３≒θ４≒θ５≒θ６≒θ７≒θ８≒４５°である。即ち、ボール４１と第１支持部１７、第２支持部１９、第３支持部２３、第４支持部２５との当たり、ボール４３と第５支持部２９、第６支持部３１、第７支持部３５、第８支持部３７との当たりは全て均等な当たりである。
【０００７】
更に、ボール４１と第１支持部１７、第２支持部１９、第３支持部２３、第４支持部２５とはガタのない設定となっている。同様に、ボール４３と第５支持部２９、第６支持部３１、第７支持部３５、第８支持部３７ともガタのない設定となっている。しかし、ロアレール１０１、アッパレール１０３、ボール４１、ボール４３の製造誤差があると、ガタが発生したり、摺動抵抗が増す問題点がある。
【０００８】
本発明は、上記問題点に鑑みてなされたもので、その課題は、摺動抵抗が小さく、又、寸法のバラツキが生じても摺動抵抗が増加しないシートスライド装置を提供することにある。
【課題を解決するための手段】
【０００９】
上記課題を解決する請求項１に係る発明は、フロア側に設けられるロアレールと、シート側に設けられ、前記ロアレールに移動可能に係合したアッパレールとを備えたシートスライド装置において、前記アッパレールの断面形状は、フロアと交差する方向に延びる第１側壁部と、第２側壁部とを有し、前記ロアレールの断面形状は、前記アッパレールの第１側壁部、第２側壁部と略平行な第３側壁部と第４側壁部とを有し、前記アッパレールの第１側壁部に、上から第１支持部、第２支持部からなり、前記ロアレールの第３側壁部との間隔が広がるような略く字形の第１ガイド部を設け、前記ロアレールの第３側壁部に、前記第１ガイド部の第１支持部と略平行な第３支持部、前記第１ガイド部の第２支持部と略平行な第４支持部からなリ、前記アッパレールの第１側壁部との間隔が広がるような略く字形の第２ガイド部を設け、前記アッパレールの第２側壁部に、上から第５支持部、第６支持部からなり、前記ロアレールの第４側壁部との間隔が広がるような略く字形の第３ガイド部を設け、前記ロアレールの第４側壁部に、前記第３ガイド部の第５支持部と略平行な第７支持部、前記第３ガイド部の第６支持部と略平行な第８支持部からなリ、前記アッパレールの第２側壁部との間隔が広がるような略く字形の第４ガイド部を設け、前記第１ガイド部と、前記第２ガイド部との空間に、前記第１〜第４支持部が当接可能なボールを設け、前記第３ガイド部と、前記第４ガイド部との空間に、前記第５〜第８支持部が当接可能なボールを設け、前記第１支持部と前記ボールとの接点での法線と鉛直線とのなす角が、前記第４支持部と前記ボールとの接点での法線と鉛直線とのなす角より小さく設定され、前記第５支持部と前記ボールとの接点での法線と鉛直線とのなす角が、前記第８支持部と前記ボールとの接点での法線と鉛直線とのなす角より小さく設定されていることを特徴とするシートスライド装置である。
【００１０】
請求項１に係る発明では、アッパレールからの荷重は、アッパレールの第１ガイド部の第１支持部→ボール→ロアレールの第２ガイド部の第３支持部、アッパレールの第３ガイド部の第５支持部→ボール→ロアレールの第４ガイド部の第７支持部を介してロアレールに伝達される。
【００１１】
請求項２に係る発明は、前記アッパレールは、前記ロアレールと係合する前の自然状態では、第１側壁部と第２側壁部とが前記フロア方向に行くほど、両者の間隔が広がる「ハ」字状態となるように設定されていることを特徴とする請求項１記載のシートスライド装置である。
【００１２】
請求項２に係る発明では、アッパレールとロアレールとを組み付けると、アッパレールの第１側壁部と第２側壁部とが弾性変形する。
【００１３】
請求項３に係る発明は、前記ロアレールは、前記アッパレールと係合する前の自然状態では、第３側壁部と第４側壁部とが、前記フロア方向に行くほど、両者の間隔が広がる「ハ」字状態となるように設定されていることを特徴とする請求項１記載のシートスライド装置である。
【００１４】
請求項３に係る発明では、アッパレールとロアレールとを組み付けると、ロアレールの第３側壁部と第４側壁部とが弾性変形する。
【発明の効果】
【００１５】
請求項１に係る発明によれば、前記第１支持部と前記ボールとの接点での法線と鉛直線とのなす角が、前記第４支持部と前記ボールとの接点での法線と鉛直線とのなす角より小さく設定され、前記第５支持部と前記ボールとの接点での法線と鉛直線とのなす角が、前記第８支持部と前記ボールとの接点での法線と鉛直線とのなす角より小さく設定されていることにより、ロアレールの第２ガイド部の第３支持部、第４ガイド部の第７支持部に対して垂直な方向に作用するアッパレールからの荷重成分が大きくなるので、アッパレールとロアレールとの上下方向のガタが少なくなる。
【００１６】
又、ボールに作用するアッパレールからの荷重のうち、ロアレールの第２ガイド部の第３支持部、第４ガイド部の第７支持部と平行な方向の分力が力が小さくなるので、摺動抵抗のムラが少なくなる。更に、ロアレールの第２ガイド部の第３支持部、第４ガイド部の第７支持部に対して垂直な方向に作用するアッパレールからの荷重成分が大きくなる。よって、ボールが空回りすることなく回転し、スムーズなアッパレールの移動を得ることができる。
【００１７】
請求項２に係る発明によれば、前記アッパレールは、前記ロアレールと係合する前の自然状態では、第１側壁部と第２側壁部とが前記フロア方向に行くほど、両者の間隔が広がる「ハ」字状態となるように設定されていることにより、アッパレールとロアレールとを組み付けると、アッパレールの第１側壁部と第２側壁部とが弾性変形する。その弾性反発力により、アッパレールの第１ガイド部、第３ガイド部がボールをロアレールの第２ガイド部、第４ガイド部に押し付けるので、ガタがなくなる。
【００１８】
請求項３に係る発明によれば、前記ロアレールは、前記アッパレールと係合する前の自然状態では、第３側壁部と第４側壁部とが、前記フロア方向に行くほど、両者の間隔が狭まる逆「ハ」字状態となるように設定されていることにより、アッパレールとロアレールとを組み付けると、ロアレールの第３側壁部と第４側壁部とが弾性変形する。その弾性反発力により、ロアレールの第２ガイド部、第４ガイド部がボールをアッパレールの第１ガイド部、第３ガイド部に押し付けるので、ガタがなくなる。
【発明を実施するための最良の形態】
【００１９】
以下、図面を用いて本発明を実施するための最良の形態を説明する。最初に、図２を用いて、本形態例のシートスライド装置の全体構成を説明する。一般に、シートスライド装置は、１つにシートに対して、１組設けられるものであるが、構成は略同じなので、一方のシートトラック装置で説明する。
【００２０】
図において、１０１はフロアＦ側にフロントブラケット９５、リアブラケット９７を介して設けられるロアレール、１０３はシート側に設けられ、ロアレール１０１に移動可能に係合するアッパレールである。ロアレール１０１の側面には、複数のロック穴１０５がその長手方向に沿って形成されている。一方、アッパレール１０３には、アッパレール１０３の長手方向に沿ってクランク状のロッド１０２が回転可能に設けられている。ロッド１０２には、ロックレバー１０７が取付けられ、このロックレバー１０７の回転端部側はロアレール１０１のロック穴１０５に係脱可能となっている。更に、一端部がアッパレール１０３に、他端部がロックレバー１０７に係止されるトーションスプリング１０９によりロックレバー１０７はロック穴１０５に係合する方向（ロック方向）に付勢されている。
【００２１】
アッパレール１０３には、ピン１１０を用いてオープンブラケット１１１が回転可能に設けられている。このオープンブラケット１１１は、回転することにより、ロッド１０２のクランク部１０２ａを押して、ロックレバー１０７をロック穴１０５から離脱する方向（アンロック方向）に駆動可能となっている。又、ピン１１０に中間部が巻回され、一端部がアッパレール１０３に、他端部がオープンブラケット１１１に係止されるスプリング１１３により、オープンブラケット１１１はロッド１０２のクランク部１０２ａから離れる方向に付勢されている。そして、オープンブラケット１１１にはループハンドル１１５の一端部が取付けられ、このループハンドル１１５の他端部は他方のシートトラック装置のオープンブラケットに取付けられている。
【００２２】
次に、上記構成の作動を説明する。ループハンドル１１５を操作していない状態では、スプリング１１３の付勢力により、オープンブラケット１１１はロッド１０２のクランク部１０２ａより離れた位置にあり、又、トーションスプリング１０９の付勢力により、ロックレバー１０７はロアレール１０１のロック穴１０５に係合し、アッパレール１０３のロアレール１０１に対する移動は禁止されたロック状態にある。
【００２３】
ここで、ループハンドル１１５をスプリング１１３の付勢力に抗して、矢印Ｉ方向に引き上げると、オープンブラケット１１１がロッド１０２のクランク部１０２ａを押し、トーションスプリング１０９の付勢力に抗してロックレバー１０７がロアレール１０１のロック穴１０５から離脱して、アッパレール１０３のロアレール１０１に対する移動が可能となるアンロック状態となる。ここで、アッパレール１０３をロアレール１０１に対して移動させ、所望のポジションを得たならば、ループハンドル１１５への操作力を解除する。すると、スプリング１１３の付勢力により、オープンブラケット１１１はロッド１０２のクランク部１０２ａより離れた位置まで戻り、又、トーションスプリング１０９の付勢力により、ロックレバー１０７はロアレール１０１のロック穴１０５に再び係合し、アッパレール１０３のロアレール１０１に対する移動は禁止されたロック状態に復帰する。
【００２４】
次に、図２の切断線Ａ−Ａでの断面図である図１を用いて、ロアレール１０１、アッパレール１０３の断面形状を説明する。
【００２５】
アッパレール１０３の断面形状は、フロアＦと略平行な基底部２０５と、基底部２０５の一方の側から折曲し、フロアＦ方向に向かって延びる第１垂下部２０７と、基底部２０５の他方の側から折曲し、フロアＦ方向に向かって延びる第２垂下部２０９とを有している。更に、第１垂下部２０７の下端から折曲しフロアＦから離れる方向で、フロアＦと交差する方向に延びる第１側壁部２１１と、第２垂下部２０９の下端から折曲しフロアＦから離れる方向で、フロアＦと交差する方向に延びる第２側壁部２１３とを有している。
【００２６】
一方、ロアレール１０１の断面形状は、フロアＦと略平行な基底部３１１と、基底部３１１の一方の側から折曲し、アッパレール１０３の第１側壁部２１１と対向する第３側壁部３１３と、基底部３１１の他方の側から折曲し、アッパレール１０３の第２側壁部２１３と対向する第４側壁部３１５とを有している。更に、第３側壁部３１３の上端から折曲し、アッパレール１０３の第１側壁部２１１の上端部を覆い、アッパレール１０３がロアレール１０１から剥離する方向の荷重が入力された場合、アッパレール１０３の第１側壁部２１１が当接してアッパレール１０３のロアレール１０１からの剥離を防止する第１剥離防止部３１７と、第４側壁部３１５の上端から折曲し、アッパレール１０３の第２側壁部２１３の上端部を覆い、アッパレール１０３がロアレール１０１から剥離する方向の荷重が入力された場合、アッパレール１０３の第２側壁部２１３が当接してアッパレール１０３のロアレール１０１からの剥離を防止する第２剥離防止部３１９とを有している。
【００２７】
アッパレール１０３の第１側壁部２１１には、上から第１支持部２１５、第２支持部２１７からなり、ロアレール１０１の第３側壁部３１３との間隔が広がるような略く字形の第１ガイド部２１９が設けられている。一方、ロアレール１０１の第３側壁部３１３には、第１ガイド部２１９の第１支持部２１５と略平行な第３支持部３２１、第１ガイド部２１９の第２支持部２１７と略平行な第４支持部３２３からなリ、アッパレール１０３の第１側壁部２１１との間隔が広がるような略く字形の第２ガイド部３２５が形成されている。
【００２８】
アッパレール１０３の第２側壁部２１３は、上から第５支持部２２１、第６支持部２２３からなり、ロアレール１０１の第４側壁部３１５との間隔が広がるような略く字形の第３ガイド部２２５が設けられている。一方、ロアレール１０１の第４側壁部３１５には、第３ガイド部２２５の第５支持部２２１と略平行な第７支持部３２７、第３ガイド部２２５の第６支持部２２３と略平行な第８支持部３２９からなリ、アッパレール１０３の第２側壁部２１３との間隔が広がるような略く字形の第４ガイド部３３１が設けられている。
【００２９】
第１ガイド部２１９と、第２ガイド部３２５との空間に、第１支持部２１５、第２支持部２１７、第３支持部３２１、第４支持部３２３が当接可能なボール１４１が設けられている。又、第３ガイド部２２５と、第４ガイド部３３１との空間に、第５支持部２２１、第６支持部２２３、第７支持部３２７、第８支持部３２９が当接可能なボール１４３が設けられ、これらボール１４１、ボール１４３が転動することにより、アッパレール１０３はロアレール１０１に対してスムーズに移動するようになっている。
【００３０】
そして、本形態例では、第１支持部２１５とボール１４１との接点Ｔ１での法線Ｈ１と鉛直線Ｓとのなす角θ１が、第４支持部３２３とボール１４１との接点Ｔ４での法線Ｈ４と鉛直線Ｓとのなす角θ４より小さく設定され、第５支持部２２１とボール１４３との接点Ｔ５での法線Ｈ５と鉛直線Ｓとのなす角θ５が、第８支持部３２９とボール１４３との接点Ｔ８での法線Ｈ８と鉛直線Ｓとのなす角θ８より小さく設定されている。
【００３１】
又、アッパレール１０３の第１ガイド部２１９の第２支持部２１７はロアレール１０１の第２ガイド部３２５の第４支持部３２３と略平行なので、第２支持部２１７とボール１４１との接点Ｔ２での法線Ｈ２と鉛直線Ｓとのなす角θ２≒θ４である。ロアレール１０１の第２ガイド部３２５の第３支持部３２１はアッパレール１０３の第１ガイド部２１９の第１支持部２１５と略平行なので、第３支持部３２１とボール１４１との接点Ｔ３での法線Ｈ３と鉛直線Ｓとのなす角θ３≒θ１である。
【００３２】
アッパレール１０３の第３ガイド部２２５の第６支持部２２３はロアレール１０１の第４ガイド部３３１の第８支持部３２９と略平行なので、第６支持部２２３とボール１４３との接点Ｔ６での法線Ｈ６と鉛直線Ｓとのなす角θ６≒θ８である。ロアレール１０１の第４ガイド部３３１の第７支持部３２７はアッパレール１０３の第３ガイド部２２５の第５支持部２２１と略平行なので、第７支持部３２７とボール１４３との接点Ｔ７での法線Ｈ７と鉛直線Ｓとのなす角θ７≒θ５である。
【００３３】
そして、アッパレール１０３は組付け前の自然状態では、図１の二点鎖線で示すように、第１垂下部２０７、第１側壁部２１１と第２垂下部２０９、第２側壁部２１３とがフロアＦ方向に行くほど、第１垂下部２０７、第１側壁部２１１と第２垂下部２０９、第２側壁部２１３との間隔が広がる「ハ」字状態となるように設定され、第１垂下部２０７、第１側壁部２１１と第２垂下部２０９、第２側壁部２１３とが接近するように弾性変形させた状態で、ロアレール１０１に組み付けるようにした。
【００３４】
このような構成によれば、以下のような効果を得ることができる。
（１）第１支持部２１５とボール１４１との接点Ｔ１での法線Ｈ１と鉛直線Ｓとのなす角θ１が、第４支持部３２３とボール１４１との接点Ｔ４での法線Ｈ４と鉛直線Ｓとのなす角θ４より小さく設定され、第５支持部２２１とボール１４３との接点Ｔ５での法線Ｈ５と鉛直線Ｓとのなす角が、第８支持部３２９とボール１４３との接点Ｔ８での法線Ｈ８と鉛直線Ｓとのなす角θ８より小さく設定されていることにより、ロアレール１０１の第２ガイド部３２５の第３支持部３２１、第４ガイド部３３１の第７支持部３２７に対して垂直な方向に作用するアッパレール１０３からの荷重成分が大きくなるので、アッパレール１０３とロアレール１０１との上下方向のガタが少なくなる。
【００３５】
又、ボール１４１、ボール１４３に作用するアッパレール１０３からの荷重のうち、ロアレール１０１の第２ガイド部３２５の第３支持部３２１、第４ガイド部３３１の第７支持部３２７と平行な方向の分力が小さくなるので、摺動抵抗のムラが少なくなる。
【００３６】
更に、ロアレール１０１の第２ガイド部３２５の第３支持部３２１、第４ガイド部３３１の第７支持部３２７に対して垂直な方向に作用するアッパレール１０３からの荷重成分が大きくなる。よって、ボール１４１、ボール１４３が空回りすることなく回転し、スムーズなアッパレール１０３の移動を得ることができる。
（２）アッパレール１０３は組付け前の自然状態では、図１の二点鎖線で示すように、第１垂下部２０７、第１側壁部２１１と第２垂下部２０９、第２側壁部２１３とがフロアＦ方向に行くほど、第１垂下部２０７、第１側壁部２１１と第２垂下部２０９、第２側壁部２１３との間隔が広がる「ハ」字状態となるように設定され、第１垂下部２０７、第１側壁部２１１と第２垂下部２０９、第２側壁部２１３とが接近するように弾性変形させた状態で、ロアレール１０１に組み付けるようにしたことにより、組み付け後、第１垂下部２０７、第１側壁部２１１の弾性反発力により、ボール１４１と、ロアレール１０１の第２ガイド部３２５の第４支持部３２３、アッパレール１０３の第１ガイド部２１９の第２支持部２１７とのガタがなくなる。同様に、組み付け後、第２垂下部２０９、第２側壁部２１３の弾性反発力により、ボール１４３と、ロアレール１０１の第４ガイド部３３１の第８支持部３２９、アッパレール１０３の第３ガイド部２２５の第６支持部２２３とのガタがなくなる。
【００３７】
尚、本発明は上記形態例に限定するものではない。上記形態例では、アッパレール１０３は組付け前の自然状態では、図１の二点鎖線で示すように、第１垂下部２０７、第１側壁部２１１と第２垂下部２０９、第２側壁部２１３とがフロアＦ方向に行くほど、第１垂下部２０７、第１側壁部２１１と第２垂下部２０９、第２側壁部２１３との間隔が広がる「ハ」字状態となるように設定したが、ロアレール１０１の組み付け前の自然状態で、第３側壁部３１３、第４側壁部３１５がフロアＦから離れるほどに、第３側壁部３１３と第４側壁部３１５との間隔が狭まる「ハ」字形となるように設定してもよい。
【図面の簡単な説明】
【００３８】
【図１】形態例の発明部分を示す図で、図２の切断線Ａ−Ａでの断面図である。
【図２】形態例のシートスライド装置の全体構成を示す斜視図である。
【図３】従来のシートスライド装置の断面図である。
【符号の説明】
【００３９】
１４１、１４３  ボール
２１５  第１支持部
２２１  第５支持部
３２３  第４支持部
３２９  第８支持部
【図１】
2005088604.tif 000003
【図２】
2005088604.tif 000004
【図３】
2005088604.tif 000005